(57)【要約】【課題】  コンセプトやイメージといった抽象的な内容から、具体的な販促ツール（コンテンツ）のデザインや版下のデザインを決定する販売促進ツール生成装置を提供する。【解決手段】  顧客の抽象的な要求から具体的な販促ツールのデザインや版下のデザインを決定するために、第１記憶部５に格納されているプログラムに従って顧客端末４と通信を行い顧客端末４からの要求に応じて販促ツールを生成する制御部６と、顧客端末４から送られた抽象的な意味を持つキーワードから具体的なデザイン等を決定する具体化処理部７と、キーワードに応じた版下のデザイン等を格納する第２記憶部８と、を少なくとも備える。【選択図】      図２
2006040177.tif 000002
【特許請求の範囲】
【請求項１】
抽象的な概念を表わす１又は２以上のキーワードを記憶するキーワード記憶手段と、
前記キーワードと該キーワードに対応するデザイン情報とを関連づけて記憶するデザイン情報記憶手段と、
通信可能に接続された顧客端末からの要求に応じて、前記キーワード記憶手段から前記キーワードを取得し、前記顧客端末に表示するための表示データを生成し、前記顧客端末に対して送信する表示データ送信手段と、
該表示データ送信手段によって送信された表示データに基づいて選択され、前記顧客端末から送信される１又は２以上の選択済みキーワードを受信するキーワード受信手段と、
該キーワード受信手段によって受信した選択済みキーワードに基づいて、前記キーワードからキーワード候補を抽出するキーワード候補抽出手段と、
該キーワード候補抽出手段によって抽出されたキーワード候補に対応するデザイン情報を前記デザイン情報記憶手段から取得し、該デザイン情報に基づいて版下を生成する版下生成手段と、
を備えることを特徴とする販売促進ツール生成装置。
【請求項２】
前記デザイン情報記憶手段に格納されている前記キーワードについて、所定の相対関係を定めた相対情報を記憶する相対情報記憶手段を更に備え、
前記キーワード候補抽出手段は、前記相対情報記憶手段から相対情報を取得し、該相対情報に基づいて、前記選択済みキーワードによって定まる範囲を決定し、該決定した範囲内の前記キーワードを抽出することを特徴とする請求項１に記載の販売促進ツール生成装置。
【請求項３】
前記キーワードは、レイアウト、レイアウトバランス、掲載する写真のいずれか１つ以上を備える前記デザイン情報に対応する第１のキーワードと、配色に関する情報、文字の書体に関する情報、背景写真に関する情報のいずれか１つ以上を備えるデザイン情報に対応する第２のキーワードとからなることを特徴とする請求項１又は２に記載の販売促進ツール生成装置。
【請求項４】
通信可能に接続された顧客端末からの要求に応じて、抽象的な概念を表わす１又は２以上のキーワードを記憶するキーワード記憶部から所定の前記キーワードを取得し、
該取得した前記キーワードを前記顧客端末に表示するための表示データを生成して前記顧客端末に対して送信し、
該送信した表示データに基づいて選択され、前記顧客端末から送信される１又は２以上の選択済みキーワードを受信し、
該受信した選択済みキーワードに基づいて、前記キーワードからキーワード候補を抽出し、
該抽出したキーワード候補に対応するデザイン情報を、前記キーワードと該キーワードに対応するデザイン情報とを関連づけて記憶したデザイン情報記憶部から取得し、該取得したデザイン情報に基づいて版下を生成することを特徴とする販売促進ツールの生成方法。
【請求項５】
通信可能に接続された顧客端末からの要求に応じて、抽象的な概念を表わす１又は２以上のキーワードを記憶するキーワード記憶部から所定の前記キーワードを取得するキーワード取得処理と、
該取得した前記キーワードを前記顧客端末に表示するための表示データを生成して前記顧客端末に対して送信する表示データ送信処理と、
該送信した表示データに基づいて選択され、前記顧客端末から送信される１又は２以上の選択済みキーワードを受信するキーワード受信処理と、
該受信した選択済みキーワードに基づいて、前記キーワードからキーワード候補を抽出するキーワード候補抽出処理と、
該抽出したキーワード候補に対応するデザイン情報を、前記キーワードと該キーワードに対応するデザイン情報とを関連づけて記憶したデザイン情報記憶部から取得し、該取得したデザイン情報に基づいて版下を生成する版下生成処理と、
をコンピュータに行なわせることを特徴とする販売促進ツールの生成のためのプログラム。
【発明の詳細な説明】
【技術分野】
【０００１】
本発明は、パンフレットやポスター等の販売促進ツールを生成する販売促進ツール生成装置に関する。
【背景技術】
【０００２】
従来から、印刷会社では、会社案内などのパンフレットや商品案内などのポスター等の販売促進ツール（以下、販促ツールという）を作成する場合、まず依頼者からの要望に応じてデザイナが販促ツールのコンテンツをデザインし、そのデザインに基づいて印刷会社が版下を生成して、必要な部数の販促ツールを生産（印刷）している。
【０００３】
また、近年では、コンピュータを利用することによって、版下を生成する組版作業等の作業時間が短縮されるようになってきている。
特許文献１には、顧客自身が印刷会社等のコンピュータを利用することによって、速やかにパンフレットを作成できるパンフレット作成システムについて開示されている。
【０００４】
また、特許文献２には、文書データ素材を編集し、印刷用や電子配信用のコンテンツを制作するシステムにおいて、デザイナと顧客とが、直接組版工程に関与することが可能なシステムについて開示されている。
【特許文献１】特開２００２−１０９３１８号公報
【特許文献２】特開２００３−０４４５８５号公報
【発明の開示】
【発明が解決しようとする課題】
【０００５】
しかしながら、依頼者はデザインの専門家でない場合が多いため、所望の販促ツールに対するコンセプトやイメージといった抽象的な内容から、具体的な販促ツール全体のデザインや版下のデザインを決定するためのプロセス（例えば、デザイナとの打ち合わせ）に時間やコスト等を費やさなければならないという問題があった。
【０００６】
本発明は、上述した問題に鑑みてなされたものであり、その解決しようとする課題は、コンセプトやイメージといった抽象的なキーワードを指定するだけで、具体的な販促ツールのデザインを決定することができる販売促進ツール生成装置を提供することである。
【課題を解決するための手段】
【０００７】
上述の課題を解決するために、請求項１に記載の発明は、抽象的な概念を表わす１又は２以上のキーワードを記憶するキーワード記憶手段と、前記キーワードと該キーワードに対応するデザイン情報とを関連づけて記憶するデザイン情報記憶手段と、通信可能に接続された顧客端末からの要求に応じて、前記キーワード記憶手段から前記キーワードを取得し、前記顧客端末に表示するための表示データを生成し、前記顧客端末に対して送信する表示データ送信手段と、該表示データ送信手段によって送信された表示データに基づいて選択され、前記顧客端末から送信される１又は２以上の選択済みキーワードを受信するキーワード受信手段と、該キーワード受信手段によって受信した選択済みキーワードに基づいて、前記キーワードからキーワード候補を抽出するキーワード候補抽出手段と、該キーワード候補抽出手段によって抽出されたキーワード候補に対応するデザイン情報を前記デザイン情報記憶手段から取得し、該デザイン情報に基づいて版下を生成する版下生成手段と、を備える。
【０００８】
請求項１に記載の発明によると、前記顧客端末から所望の前記キーワードを選択すると、キーワード候補抽出手段によって、デザイン情報記憶手段に格納されている前記キーワードからキーワード候補が抽出され、前記版下生成手段によって版下が生成されるので、選択した前記キーワードが表わす抽象的な概念から具体的にデザインされた版下を取得することが可能となる効果を奏する。
【０００９】
また、請求項２に記載の発明は、請求項１に記載の発明において、前記デザイン情報記憶手段に格納されている前記キーワードについて、所定の相対関係を定めた相対情報を記憶する相対情報記憶手段を更に備え、前記キーワード候補抽出手段は、前記相対情報記憶手段から相対情報を取得し、該相対情報に基づいて、前記選択済みキーワードによって定まる範囲を決定し、該決定した範囲内の前記キーワードを抽出することを特徴とする発明である。
【００１０】
請求項３に記載の発明は、前記キーワードは、レイアウト、レイアウトバランス、掲載する写真のいずれか１つ以上を備える前記デザイン情報に対応する第１のキーワードと、配色に関する情報、文字の書体に関する情報、背景写真に関する情報のいずれか１つ以上を備えるデザイン情報に対応する第２のキーワードとからなることを特徴とする請求項１又は２に記載の発明である。
【００１１】
請求項２及び３に記載の発明によっても、請求項１に記載の発明と同様に、前記顧客端末から所望の前記キーワードを選択すると、キーワード候補抽出手段によって、デザイン情報記憶手段に格納されている前記キーワードからキーワード候補が抽出され、前記版下生成手段によって版下が生成されるので、選択した前記キーワードが表わす抽象的な概念から具体的にデザインされた版下を取得することが可能となる効果を奏する。
【発明の効果】
【００１２】
以上のように、本発明によると、コンセプトやイメージといった抽象的なキーワードを指定するだけで、具体的な販促ツールのデザインを決定できる販売促進ツール生成装置を提供することが可能となる。
【発明を実施するための最良の形態】
【００１３】
以下、本発明の実施形態について、図１から図９に基づいて説明する。
図１は、本発明の実施例に係る販売促進ツール生成システムの構成の概要を示す図である。
【００１４】
同図に示すように、本実施例に係る販売促進ツール生成システムは、要求に応じて販促ツールを生成するサーバ１と、サーバ１と例えばＬＡＮ（Ｌｏｃａｌ  Ａｒｅａ  Ｎｅｔｗｏｒｋ）を介して通信可能に接続され、販促ツールを生成するために必要なデータを格納するデータベース２と、インターネット３を介してサーバ１と通信可能に接続される複数の顧客端末４とを備えている。
【００１５】
サーバ１は、インターネット３を介して送られてくる任意の顧客端末４からの要求に応じて、販促ツールを生成するための所定の画面を生成し、生成した画面データをインターネット３を介して顧客端末４に送信して表示させる。
【００１６】
また、サーバ１は、顧客端末４からの要求に応じて、データベース２から必要なデータを検索し、１つ又は２以上の版下のデザインを生成し、顧客端末４に送信して表示させる。
【００１７】
データベース２は、１又は２以上のデータベースから成り、例えば、抽象的なイメージを表すキーワード（文字列）とそのキーワードに対応する複数のデザインとを格納し、サーバ１からの要求に応じてサーバ１にデータを送信する。
【００１８】
顧客端末４は、例えばＷｅｂブラウザ等を使用してサーバ１と通信を行い、サーバ１から送られてくるデータに基づいてＷｅｂブラウザに表示が行なわれ、顧客は、表示画面に応じて所定の操作を行ない、サーバ１に指示を行なう。
【００１９】
同図に示すデータベース２は、ＬＡＮ等のネットワークを介してサーバ１と接続しているが、この構成に限定するものではない。例えば、サーバ１の内部にデータベース２を備えるようにしてもよく、インターネット３を介してサーバ１とデータベース２とが通信可能な状態に接続してもよい。
【００２０】
また、サーバ１と顧客端末４とは、インターネット３によって通信可能に接続されているが、この構成に限定するものではなく、例えば専用線によって接続されていてもよい。
図２は、本発明の実施例に係るサーバ１及びデータベース２の構成の概要を示すブロック図である。
【００２１】
同図に示すサーバ１は、サーバ１を構成する各要素を制御するためのプログラムと販促ツールを生成するためのプログラムとを少なくとも格納する第１記憶部５と、第１記憶部５に格納されているプログラムの命令に従ってサーバ１を構成する各要素を制御し、さらに顧客端末４と通信を行って顧客端末４からの要求に応じて販促ツールを生成する処理を行なう制御部６と、制御部６からの指示に応じて、顧客端末４から送られた抽象的な意味を持つキーワードから具体的なデザイン等を決定する具体化処理部７と、抽象的な意味を持つキーワードに応じた版下のデザイン等を格納する第２記憶部８と、インターネット３を介して顧客端末４から送られるデータの入力を制御する送信入力制御部９と、制御部６の指示に応じて、インターネット３を介して顧客端末４に所定のデータを送信する出力制御部１０と、を少なくとも備えている。
【００２２】
第１記憶部５は、例えばサーバ１に備える磁気記録装置によって構成される。また、制御部６、入力制御部９、及び出力制御部１０は、サーバ１が備える図示しないＣＰＵが第１記憶部５に格納されているプログラムに従って処理を行なうことによって実現される。また、具体化処理部７についても、サーバ１が備える図示しないＣＰＵが第１記憶部５に格納されているプログラムに従って処理を行なうことによって実現される。第２記憶部８は、データベース２によって構成される。
【００２３】
上述のように、制御部６及び具体化処理部７における処理は、共に図示しないＣＰＵが第１記憶部５に格納されているプログラムに従って行なう処理であるが、以下の説明においては、処理内容を明確にするために、処理の主体は制御部６又は具体化処理部７として説明することとする。
【００２４】
ここで、本実施例に係るサーバ１は、一般的に使用されている情報処理装置によって実現することが可能である。すなわち、データを記憶するための記憶装置と、記憶装置に格納されているプログラムを実行するためのＣＰＵ（Ｃｅｎｔｒａｌ  Ｐｒｏｃｅｓｓｉｎｇ  Ｕｎｉｔ）と、ネットワークと通信可能の接続するためのネットワーク接続装置と、情報処理装置に対してデータを入力するための入力装置（例えば、キーボードやマウス）と、表示モニタにデータを出力するための出力装置と、これらの装置間でデータの通信を行うためのバスとを少なくとも備えている情報処理装置によってサーバ１が構成される。
【００２５】
したがって、同図に示す制御部６及び具体化処理部７は、情報処理装置に備わる記憶装置である第１記憶部５に格納されているプログラムに従って、上述のＣＰＵが処理を行なうことによって実現することが可能である。
【００２６】
また、入力制御部９及び出力制御部１０は、上述のＣＰＵが、第１記憶部５に格納されているプログラムに従って、情報処理装置に備わるネットワーク装置を制御することによって実現することが可能である。
【００２７】
以下に、本発明に係る実施例として、会社案内のパンフレットを生成する処理について説明する。
図３は、本発明に係る第１の実施例のサーバ１による処理の概要を示すフローチャートである。
【００２８】
会社案内のパンフレットを依頼する顧客が、顧客端末４上の例えばＷｅｂブラウザを用いてサーバ１にアクセスすると、サーバ１に備わる入力制御部９が、制御部６に通知し、サーバ１が備える制御部６（以下、単にサーバ１という）が、販促ツールを生成する処理を開始する。
【００２９】
制御部６（を構成するＣＰＵ）は、第１記憶部５の所定のアドレスに格納されているコンセプト用キーワード及びイメージ用キーワードを読出し、所定のフォーマットでＷｅｂブラウザに表示させるためのデータを生成して、要求のあった顧客端末４に送信して表示させる（ステップＳ３０１）。
【００３０】
ここで、顧客端末４上のＷｅｂブラウザに表示させるためのデータ形式としては、例えばＸＭＬ（ｅＸｔｅｎｓｉｂｌｅ  Ｍａｒｋｕｐ  Ｌａｎｇｕａｇｅ）やＨＴＭＬ（Ｈｙｐｅｒ  Ｔｅｘｔ  Ｍａｒｋｕｐ  Ｌａｎｇｕａｇｅ）等を使用すればよい。
【００３１】
また、コンセプト用キーワードとは、販促ツール（本実施例では、パンフレット）のデザインによって表現したいコンセプトに関する抽象的な概念をキーワードとしたものであり、例えば、専門性、独創性、成長性、安定性、技術力、研究・開発力、販売力、収益力、発想力、経営力等を使用する。
【００３２】
イメージ用キーワードとは、パンフレットのデザインによって表現したいイメージに関する抽象的な概念をキーワードとしたものであり、例えば、カラフル、モノトーン、明るい、真面目、派手、爽やか、日本的、国際的、現代的、未来的、控えめ等を使用する。
【００３３】
顧客によって、顧客端末４上に表示されたコンセプト用キーワード及びイメージ用キーワードからそれぞれ３つのキーワードが選択され、サーバ１に送信されると、制御部６は、処理をステップＳ３０２に移行する。
【００３４】
ステップＳ３０２において、制御部６は、具体化処理部７に対して、顧客端末４から送られたコンセプト用キーワード及びイメージ用キーワードに基づいて、第２記憶部８に格納されているデザインから１又は２以上の候補を抽出（決定）する処理を行わせる。
【００３５】
具体化処理部７によるデザイン候補の抽出処理が完了すると、制御部６の処理がステップＳ３０３に移行し、抽出したデザイン候補を所定のフォーマットでＷｅｂブラウザに表示させるためのデータを生成し、顧客端末４に送信して表示させる。
【００３６】
顧客端末４のＷｅｂブラウザにデザイン候補が表示されると、顧客は、表示に応じて所望のデザインを選択することとなる。そして、顧客によって、所望のデザインが選択されると、Ｗｅｂブラウザによって、選択されたデザインの情報がサーバ１に送られることとなる。
【００３７】
サーバ１は、選択されたデザインの情報を受信すると、処理をステップＳ３０４に移行し、第１記憶部５の所定のアドレスに格納されている企業スローガン及び掲載したい内容の選択項目を読出し、所定のフォーマットでＷｅｂブラウザに表示させるためのデータを生成して、要求のあった顧客端末４に送信して表示させる。
【００３８】
顧客が、顧客端末４に従って企業スローガン及び掲載したい内容の選択項目から所望の１又は２以上の項目を選択すると、選択された情報がサーバ１に送られる。
選択された情報をサーバ１が受信すると、処理をステップＳ３０５に移行し、ステップＳ３０４にて選択された掲載したい内容の各項目について文章の入力画面を表示させるデータを生成して、要求のあった顧客端末４に送信して表示させる。
【００３９】
顧客端末４のＷｅｂブラウザに、掲載したい内容の各項目について文章の入力画面が表示されると、顧客は、表示に応じて各項目に文書を入力してデータをサーバ１に送信する。
【００４０】
顧客端末４からデータを受信すると、制御部６は、処理をステップＳ３０６に移行し、ステップＳ３０３の処理によって選択されたデザイン、選択された企業スローガン及び掲載したい内容に基づいて版下を生成する処理を行なう。
【００４１】
すなわち、ステップＳ３０３の処理において、顧客が選択したデザインに基づいて、スローガン及び掲載したい内容（ステップＳ３０５において顧客端末４より入力された文章）を組み込むことにより、版下が生成されることとなる。
【００４２】
ステップＳ３０６において、版下の生成処理が完了すると、生成された版下をＷｅｂブラウザに表示させるためのデータを生成して、要求のあった顧客端末４に送信して表示させることとなる（ステップＳ３０７）。
【００４３】
以上の説明において、本実施例では、販促ツールのデザイン及びそのコンテンツの構成を表現する抽象的なキーワードとして、コンセプト用キーワード及びイメージ用キーワードを使用したが、これに限定されない。すなわち、販促ツールの種類に応じて、使用者が適宜、適当と思われる販促ツールのデザイン及びそのコンテンツの構成を表現する抽象的なキーワードを決めればよい。
【００４４】
また、本実施例においては、コンセプト用キーワード及びイメージ用キーワードからそれぞれ３つのキーワードを顧客に選択させるようにしているが、これに限定するわけではなく、１又は２以上のキーワードを顧客に選択させるようにしてもよい。
【００４５】
以下、図４から図７に、図３に示したデザイン候補の決定処理（ステップＳ３０２）において使用するデータベース２の概念及び構成を示し、さらに、図１０にデザイン候補の決定処理の詳細を示す。
【００４６】
図４は、コンセプト用キーワードの相対的な関係を示すコンセプトスケールの例を示す図である。
同図に示すコンセプトスケールは、第１記憶部５の所定のアドレスに格納される各コンセプト用キーワードの相対関係をｘｙ座標上に示したものであり、横軸の両端には、対極的な概念（又は観念）を想起させると思われるコンセプト用キーワード「人」及び「物」を配し、横軸の両端についても対極的な概念（又は観念）を想起させると思われるコンセプト用キーワード「技術」及び「発想」を配している。
【００４７】
また、同図に示す本実施例に係るコンセプトスケールは、サーバ１での処理の実現を容易とするために、横軸及び縦軸の座標を１０から−１０としている。すなわち、同図における座標（１０，０）には「人」を配し、座標（−１０，０）には「物」が配されている。同様に、座標（０，１０）には「技術」が配され、座標（０，−１０）には「発想」が配されている。
【００４８】
さらに、上述の「人」、「物」、「技術」及び「発想」以外のコンセプト用キーワードについても、同図の記号ＡからＮに示す領域に配されている。例えば、記号Ａが示すコンセプト用キーワード「ＩＴ」は、座標（３，０）に配されている。
【００４９】
また、本実施例で使用するコンセプト用キーワードは、抽象的な概念（又は、観念）を表すキーワードであるので、所定の領域を有している。例えば、「ＩＴ」Ａは、領域１１を有している。
【００５０】
なお、本実施例では記載しないが、領域１１内にさらに当該領域１１のコンセプト用キーワードに類似すると思われるキーワードを配してもよい。この場合、例えば、後述する式（１）から（３）で表わされるコンセプト領域内に含まれる領域１１内にさらに配されたコンセプト用キーワードに類似するキーワードの抽出が可能となり、より詳細な（又は、一定の幅を持ったキーワードの）分類の抽出が可能となる。
【００５１】
本発明に使用するデータベース２は、以上に説明したコンセプトスケールに配されたコンセプト用キーワードと、パンフレットのデザインにおけるレイアウト、レイアウトバランス及び掲載する写真とを関連づけることによって構築することができる。
【００５２】
以上に示したコンセプトスケールには、１つの領域１１に１つのコンセプトスケールのみを配しているが、これに限定されない。例えば、１のコンセプト用キーワードにおける領域１１内に、そのコンセプト用キーワードに類似すると思われる類似コンセプト用キーワードを複数配してもよい。
【００５３】
また、同図に示したコンセプトスケールにおけるコンセプト用キーワードの配置は、これに限定されるものではなく、コンセプトスケールの設計者が、適当と思われる位置に適宜配置すればよい。
【００５４】
図５は、図４に示したコンセプトスケールに基づいてコンセプト用キーワードとデザインとを関連づけた例を示している。
同図に示すコンセプトスケール表１２は、コンセプト用キーワードと、図４に示したコンセプトスケール上の座標と、コンセプト用キーワードに対応するパンフレットのレイアウト情報と、コンセプト用キーワードに対応するレイアウトバランス情報と、パンフレットに掲載する写真の画像データ（又は、画像データが格納されているアドレス）とによって構成されている。
【００５５】
ここで、同図に示すコンセプトスケール表には、領域名が記載されているが、これは図４に示したコンセプトスケール上に示された記号（ＡからＮ）との対応関係を明確にするために示したものであり、本実施例に係るコンセプトスケール表として使用しなくてもよい。
【００５６】
図６は、イメージ用キーワードの相対的な関係を示すイメージスケールを示す図である。
同図に示すイメージスケールは、図４に示したコンセプトスケールと同様に、第１記憶部５の所定のアドレスに格納される各イメージ用キーワードの相対関係をｘｙ座標上に示したものであり、横軸の両端には、対極的な概念（又は観念）を想起させると思われるイメージ用キーワード「成熟」及び「若い」を配し、横軸の両端についても対極的な概念（又は観念）を想起させると思われるイメージ用キーワード「カラフル」及び「モノトーン」を配している。
【００５７】
また、同図に示す本実施例に係るイメージスケールは、サーバ１での処理の実現を容易とするために、横軸及び縦軸の座標を１０から−１０としている。すなわち、同図における座標（１０，０）には「成熟」を配し、座標（−１０，０）には「若い」が配されている。同様に、座標（０，１０）には「カラフル」が配され、座標（０，−１０）には「モノトーン」が配されている。
【００５８】
さらに、上述の「成熟」、「若い」、「カラフル」及び「モノトーン」以外のイメージ用キーワードについても、同図の記号ＡからＮに示す領域に配されている。例えば、記号Ａが示すイメージ用キーワード「真面目」は、座標（０，０）に配されている。
【００５９】
また、本実施例で使用するイメージ用キーワードは、抽象的な概念（又は、観念）を表すキーワードであるので、所定の領域を有している。例えば、「真面目」Ａは、領域１３を有している。
【００６０】
なお、本実施例では記載しないが、領域１３内にさらに当該領域１３のイメージ用キーワードに類似すると思われるキーワードを配してもよい。この場合、例えば、後述する式（４）から（６）で表わされるイメージ領域内に含まれる領域１３内にさらに配されたイメージ用キーワードに類似するキーワードの抽出が可能となり、より詳細な（又は、一定の幅を持ったキーワードの）分類の抽出が可能となる。
【００６１】
本発明に使用するデータベース２は、以上に説明したイメージスケールに配されたイメージ用キーワードと、パンフレットのデザインにおける配色、文字の書体及び背景写真とを関連づけることによって構築することができる。
【００６２】
以上に示したイメージスケールには、１つの領域１１に１つのイメージスケールのみを配しているが、これに限定されない。例えば、１のイメージ用キーワードにおける領域１３内に、そのイメージ用キーワードに類似すると思われる類似イメージ用キーワードを複数配してもよい。
【００６３】
また、同図に示したイメージスケールにおけるイメージ用キーワードの配置は、これに限定されるものではなく、イメージスケールの設計者が、適当と思われる位置に適宜配置すればよい。
【００６４】
図７は、図６に示したイメージスケールに基づいてイメージ用キーワードとデザインとを関連づけた例を示している。
同図に示すイメージスケール表１２は、イメージ用キーワードと、図６に示したイメージスケール上の座標と、イメージ用キーワードに対応するパンフレットの配色に関する情報と、パンフレットに掲載する文字の書体に関する情報と、パンフレットに背景写真の画像データ（又は、画像データが格納されているアドレス）とによって構成されている。
【００６５】
ここで、同図に示すイメージスケール表には、領域名が記載されているが、これは図６に示したイメージスケール上に示された記号（ＡからＮ）との対応関係を明確にするために示したものであり、本実施例に係るイメージスケール表として使用しなくてもよい。
【００６６】
図８は、図５に示したコンセプトスケール表（コンセプト用キーワードが「ＩＴ」の場合）、及び図７に示したイメージスケール表に基づいて生成されたパンフレット（パンフレットの表紙）の例を示している。
【００６７】
図８に示すパンフレットは、模様領域１５及び１６と、文字領域１７と、写真領域１８とから構成されている場合の例を示している。
模様領域１５及び１６、文字領域１７、及び写真領域１８の配置は、コンセプトスケール表に示したレイアウト情報によって決定される。また、各領域の大きさ（パンフレットに対する各領域の占有率）は、コンセプトスケール表に示したレイアウトバランス情報によって決定される。
【００６８】
また、レイアウト情報によって決められた写真領域に、どのような写真が格納されるかは、コンセプトスケール表に示した写真情報によって決定される。
文字領域１７の文字の書体は、イメージスケール表に示した文字の書体情報によって決定され、模様領域１５及び１６、文字領域１７、写真領域１８、及び背景色のそれぞれの色彩（カラートーン）については、イメージスケール表に示した配色情報によって決定される。
【００６９】
図９は、図３に示したデザイン候補を決定する処理（ステップＳ３０２）の詳細な処理を示すフローチャートである。
制御部６は、顧客端末４から送信されたコンセプト用キーワードを受信すると、処理をステップＳ１００１に移行し、コンセプト領域を算出する処理を行なう。例えば、図４に示すように顧客が「品質」、「専門性」、及び「発想」の３つのキーワードを選択した場合には、実線の太字で囲まれた領域内がコンセプト領域となる。
【００７０】
また、コンセプト領域は、例えば、横軸をｘ軸とし縦軸をｙ軸とした場合に３つの不等式によって表すことが可能であるので、制御部６は、上述の「品質」、「専門性」、及び「発想」の３つのキーワードに対応する座標を第２記憶部に格納されたコンセプトスケール表から読出し、３つの不等式を求めることによって、コンセプト領域を決定することができる。下記に示す式（１）から（３）は、上述の「品質」、「専門性」、及び「発想」の３つのキーワードに対応する座標から求められた不等式であり、この場合のコンセプト領域を表している。
【００７１】
５Ｘ−９Ｙ＋６１≧０      ・・・  （１）
１４Ｘ＋５Ｙ＋５０≧０      ・・・  （２）
１９Ｘ−４Ｙ−４０≦０      ・・・  （３）
ステップＳ１００１の処理によって、コンセプト領域が算出されると、制御部６は処理をステップＳ１００２に移行し、コンセプト領域内に配されたコンセプト用キーワードを抽出する処理を開始する。
【００７２】
まず、ステップＳ１００２において、制御部６は、第２記憶部の所定のアドレスに格納されているコンセプトスケール表から座標情報を読出す。
座標情報が読み出されると、ステップＳ１００３において、ステップＳ１００１の処理によって求められた３つの不等式に座標情報を順次代入し、真か偽かを判別する。式（１）から（３）の全てについて真が成り立つ場合には、コンセプト領域内であると判断し、該当する座標情報に対応するコンセプト用キーワードをコンセプトスケール表から読出して第２記憶部の所定の領域に一時記憶し（ステップＳ１００４）、ステップＳ１００５に処理を移行する。
【００７３】
また、制御部６は、ステップＳ１００３において、読み出した座標情報が、コンセプト領域内でないと判断した場合にも、ステップＳ１００５に処理を移行する。
ステップＳ１００５において、制御部６は、コンセプトスケール表から全ての座標情報を読み出したかチェックを行ない、まだ全ての座標情報を読み出していない場合には、ステップＳ１００２に処理を移行し、ステップＳ１００２からステップＳ００５の処理が繰り返されることとなる。
【００７４】
この時、全ての座標情報を読み出したかを判断するためには、例えば、コンセプトスケール表の最後には、必ず情報の終わりを示すコード（例えば、Ｎｕｌｌ文字等の特殊文字）を格納し、制御部６は、このコードを読み出した場合に、全ての座標情報の読出しが完了したと判断させればよい。
【００７５】
以上の処理によって、顧客端末４から送信されたコンセプト用キーワードによって形成されるコンセプト領域内のコンセプト用キーワードが抽出され、制御部６は、ステップＳ１００６に処理を移行する。
【００７６】
ステップＳ１００６において、制御部６は、顧客端末４から送信されたイメージ用キーワードに基づいてイメージ領域を算出する処理を行なう。例えば、図６に示すように顧客が「カラフル」、「安価」、及び「軽快」の３つのキーワードを選択した場合には、実線の太字で囲まれた領域がイメージ領域となる。
【００７７】
また、イメージ領域は、例えば、ステップＳ１００１と同様に、横軸をｘ軸とし縦軸をｙ軸とした場合に３つの不等式によって表すことが可能であるので、制御部６は、上述の「カラフル」、「安価」、及び「軽快」の３つのキーワードに対応する座標を第２記憶部に格納されたイメージスケール表から読出し、３つの不等式を求めることによって、イメージ領域を決定することができる。下記に示す式（４）から（６）は、上述の「カラフル」、「安価」、及び「軽快」の３つのキーワードに対応する座標から求められた不等式であり、この場合のイメージ領域を表している。
【００７８】
Ｘ−  Ｙ＋１０≧０      ・・・  （４）
４Ｘ−３Ｙ＋３０≦０      ・・・  （５）
３Ｘ−  Ｙ＋２０≧０      ・・・  （６）
ステップＳ１００６の処理によって、イメージ領域が算出されると、制御部６は処理をステップＳ１００７に移行し、イメージ領域内に配されたイメージ用キーワードを抽出する処理を開始する。
【００７９】
まず、ステップＳ１００７において、制御部６は、第２記憶部の所定のアドレスに格納されているイメージスケール表から座標情報を読出す。
座標情報が読み出されると、ステップＳ１００８において、ステップＳ１００６の処理によって求められた３つの不等式に座標情報を順次代入し、真か偽かを判別する。式（４）から（６）の全てについて真が成り立つ場合には、コンセプト領域内であると判断し、該当する座標情報に対応するイメージ用キーワードをイメージスケール表から読出して第２記憶部の所定の領域に一時記憶し（ステップＳ１００９）、ステップＳ１０１０に処理を移行する。
【００８０】
また、制御部６は、ステップＳ１００８において、読み出した座標情報が、イメージ領域内でないと判断した場合にも、ステップＳ１０１０に処理を移行する。
ステップＳ１０１０において、制御部６は、イメージスケール表から全ての座標情報を読み出したかチェックを行ない、まだ全ての座標情報を読み出していない場合には、ステップＳ１００７に処理を移行し、ステップＳ１００７からステップＳ１０１０の処理が繰り返されることとなる。
【００８１】
この時、全ての座標情報を読み出したか判断するためには、例えば、ステップＳ１００５と同様に、イメージスケール表の最後には、必ず情報の終わりを示すコード（例えば、Ｎｕｌｌ文字等の特殊文字）を格納し、制御部６は、このコードを読み出した場合に、全ての座標情報の読出しが完了したと判断させればよい。
【００８２】
以上の処理によって、顧客端末４から送信されたイメージ用キーワードによって形成されるイメージ領域内のイメージ用キーワードが抽出されることとなる。
制御部６は、ステップＳ１００１からステップＳ１００５の処理によって抽出して第２記憶部の所定のアドレスに格納したコンセプト用キーワードを順次読出し、コンセプトスケール表を参照して該当するコンセプト用キーワードに対応する「レイアウト」、「レイアウトバランス」、及び「写真」に基づいて図８に示したようなパンフレットのデザイン画像データを生成する。
【００８３】
そして、生成されたデザイン画像データのそれぞれを、ステップＳ１００６からステップＳ１０１０の処理によって抽出したイメージ用キーワードに対応する「配色」、「文字の書体」、及び「背景写真」（図７を参照）に基づいて変更したデザイン画像データを生成する。
【００８４】
例えば、図４に示すように、顧客がコンセプト用キーワードとして「品質」、「専門性」、及び「発想」の３つのキーワードを選択した場合には、ステップＳ１００１からステップＳ１００５の処理によって、コンセプトスケール表から、「品質」（図４に示す記号Ｆ）、「専門性」（図４に示す記号Ｈ）、「発想」、「アイデンティティ」（図４に示す記号Ｇ）、「実行力」（図４に示す記号Ｋ）、及び「経営力」（図４に示す記号Ｌ）が抽出され、第２記憶部に格納されることとなる。
【００８５】
また、図６に示すように、顧客がイメージ用キーワードとして「カラフル」、「安価」、及び「軽快」の３つのキーワードを選択した場合には、ステップＳ１００６からステップＳ１０１０の処理によって、イメージスケール表から、「カラフル」、「安価」（図６に示す記号Ｅ）、及び「軽快」（図６に示す記号Ｈ）が抽出され、第２記憶部に格納される。
【００８６】
そして、制御部６は、コンセプトスケール表を参照し、キーワード「品質」、「専門性」、「発想」、「アイデンティティ」、「実行力」、及び「経営力」に対応する「レイアウト」、「レイアウトバランス」、及び「写真」に基づいてパンフレットのデザイン画像データを生成する。
【００８７】
さらに、生成したそれぞれのデザイン画像データを元に、イメージスケール表における「カラフル」、「安価」、及び「軽快」に対応する「配色」、「文字の書体」、及び「背景写真」のデザイン画像データを生成する。従って、この例では、合計１８通りのデザイン画像データ（デザイン候補）が生成されることとなる。
【００８８】
以上に説明した処理によって、顧客は作成したい販促ツールのコンセプトや、イメージ等の抽象的なキーワードを選択することによって、その具体的なデザインを生成することが可能となり、従来のように、デザインを決めるためのデザイナ等と打ち合わせによる時間、コストを削減することが可能となり、さらに、迅速かつ容易に所望の販促ツールを生成することが可能となる。
【図面の簡単な説明】
【００８９】
【図１】本発明の実施例に係る販売促進ツール生成システムの構成の概要を示す図である。
【図２】本発明の実施例に係るサーバ及びデータベースの構成の概要を示すブロック図である。
【図３】本発明に係る実施例のサーバによる処理の概要を示すフローチャートである。
【図４】図３に示した本実施例に係るデザイン候補の決定処理において使用するデータベースの概念（コンセプトスケール）を示す図である。
【図５】図４に示したコンセプトスケールに基づいてコンセプト用キーワードとデザインとを関連づけた例を示す図である。
【図６】図３に示した本実施例に係るデザイン候補の決定処理において使用するデータベースの概念（イメージスケール）を示す図である。
【図７】図６に示したイメージスケールに基づいてイメージ用キーワードとデザインとを関連づけた例を示す図である。
【図８】図５に示したコンセプトスケール表、及び図７に示したイメージスケール表によって生成されたパンフレットの例を示している。
【図９】図３に示したデザイン候補を決定する処理の詳細な処理を示すフローチャートである。
【符号の説明】
【００９０】
１      ・・・  サーバ
２      ・・・  データベース
３      ・・・  インターネット
４      ・・・  顧客端末
５      ・・・  第１記憶部
６      ・・・  制御部
７      ・・・  具体化処理部
８      ・・・  第２記憶部
９      ・・・  入力制御部
１０      ・・・  出力制御部
１１      ・・・  領域
１２      ・・・  コンセプトスケール表
１３      ・・・  領域
１４      ・・・  イメージスケール表
１５      ・・・  模様領域
１６      ・・・  模様領域
１７      ・・・  文字領域
１８      ・・・  写真領域
【図１】
2006040177.tif 000003
【図２】
2006040177.tif 000004
【図３】
2006040177.tif 000005
【図４】
2006040177.tif 000006
【図５】
2006040177.tif 000007
【図６】
2006040177.tif 000008
【図７】
2006040177.tif 000009
【図９】
2006040177.tif 000010
【図８】
2006040177.tif 000011